(57)【要約】【課題】薬液投与後の安全性をより向上させることができるとともに、薬液を投与し易くすることができる容器兼用注射器を提供する。【解決手段】外筒１１の前端側に注射針１３を装着した筒先が取り付けられるとともに、外筒１１の後端側にフィンガーグリップ１４が取り付けられた注射器本体１０と、外筒１１の外周側に摺動可能に装着され前方移動した際に注射針１３を覆うセーフティーデバイス２０と、セーフティーデバイス２０の後端側に設けられ、該セーフティーデバイス２０を前方側に付勢するコイルスプリング２５と、セーフティーデバイス２０を後退位置にて係止状態とする保持手段３０とを備えた容器兼用注射器１において、セーフティーデバイス２０の先端に軸線Ｏを中心として少なくとも一段縮径する縮径部２２を設け、フィンガーグリップ１４に、後退位置に位置するセーフティーデバイス２０の外周側全周を覆う円筒カバー部１７を一体に設ける。【選択図】図１
2012152443.tif 000002
【特許請求の範囲】
【請求項１】
軸線を中心として延びる外筒の前端側に注射針を装着した筒先が取り付けられるとともに、前記外筒の後端側にフィンガーグリップが取り付けられた注射器本体と、
前記外筒の外周側に摺動可能に装着され前方移動した際に前記注射針を覆うセーフティーデバイスと、
前記セーフティーデバイスの後端側に設けられ、該セーフティーデバイスを前方側に付勢する付勢手段と、
前記セーフティーデバイスを前記付勢手段の付勢に抗して後退位置にて係止する保持手段とを備えた容器兼用注射器において、
前記セーフティーデバイスの先端に、前記軸線を中心として少なくとも一段縮径する縮径部が設けられ、
前記フィンガーグリップに、前記後退位置に位置するセーフティーデバイスの外周側全周を覆う円筒カバー部が一体に設けられていることを特徴とする容器兼用注射器。
【請求項２】
前記縮径部は、前記セーフティーデバイスに対して着脱可能とされていることを特徴とする請求項１に記載の容器兼用注射器。
【発明の詳細な説明】
【技術分野】
【０００１】
本発明は、注射終了後等に注射針を覆い安全性を確保するために用いられるセーフティーデバイスを備えた容器兼用注射器に関する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立ち、このため、多くの病医院で採用されている。
【０００３】
ところで、従来から医療業務に携わるものが注射器を使用した際に、穿刺後の注射針を誤って自らに刺してしまうことがあり、その穿刺を原因としたウイルス感染が懸念されている。そのため、患者に注射した後の注射針を安全に処理することを目的として、注射後の注射針を円筒状のカバーで覆って注射針の不用意な接触を防止するセーフティーデバイスを備えた注射器が考案されている。
【０００４】
例えば特許文献１に記載の容器兼用注射器は、注射器本体の外周にセーフティーデバイスが係止されており、このセーフティーデバイスの注射器本体への係止を解除するスライド機構が別途設けられている。そして、このスライド機構をスライドに伴ってセーフティーデバイスの係止が解除されることにより、該セーフティーデバイスはコイルスプリングの付勢にしたがって注射器本体の先端側に移動する。これによって、注射針がセーフティーデバイスによって覆われ、患者に薬液を投与した後の容器兼用注射器の安全性が担保される。
【先行技術文献】
【特許文献】
【０００５】
【特許文献１】特許第４３６１９６２号公報
【発明の概要】
【発明が解決しようとする課題】
【０００６】
ところで、上記従来の容器兼用注射器におけるセーフティーデバイスは、その内周面及び外周面がほぼ軸線方向にわたって一様な円筒形状、即ち、先端側が開放状態とされた円筒形状をなしているため、注射針を覆った状態であっても、医療従事者の指が注射針に触れてしまうおそれがあった。さらに、注射針が短い場合には、開放状態とされたセーフティーデバイスの先端が薬液投与の妨げになることがあった。
【０００７】
また、セーフティーデバイスが注射器本体に係止されてる状態では、該フィンガーグリップの後端が医療従事者の指が添えられるフィンガーグリップまで延びている。したがって、このセーフティーデバイスの存在が、医療従事者によるフィンガーグリップの握り易さ、即ち、薬液投与時の取扱い性を損なわせてしまっていた。
【０００８】
本発明はこのような課題に鑑みてなされたものであって、薬液投与後の安全性をより向上させることができるとともに、薬液を投与し易くすることができる容器兼用注射器を提供することを目的とする。
【課題を解決するための手段】
【０００９】
前記課題を解決するため、この発明は以下の手段を提案している。
即ち、本発明に係る容器兼用注射器は、軸線を中心として延びる外筒の前端側に注射針を装着した筒先が取り付けられるとともに、前記外筒の後端側にフィンガーグリップが取り付けられた注射器本体と、前記外筒の外周側に摺動可能に装着され前方移動した際に前記注射針を覆うセーフティーデバイスと、前記セーフティーデバイスの後端側に設けられ、該セーフティーデバイスを前方側に付勢する付勢手段と、前記セーフティーデバイスを前記付勢手段の付勢に抗して後退位置にて係止する保持手段とを備えた容器兼用注射器において、前記セーフティーデバイスの先端に、前記軸線を中心として少なくとも一段縮径する縮径部が設けられ、前記フィンガーグリップに、前記後退位置に位置するセーフティーデバイスの外周側全周を覆う円筒カバー部が一体に設けられていることを特徴とする。
【００１０】
このような特徴の容器兼用注射器によれば、セーフティーデバイスの先端に縮径部が設けられているため、当該セーフティーデバイスが注射針を覆った際に、該セーフティーデバイスの先端に指が入り難くなる。これにより、誤穿刺の防止を図ることができる。また、このように縮径部が設けられているため、注射針が短い場合であっても、セーフティーデバイスの先端が薬液の投与に妨げになることはない。
さらに、セーフティーデバイスの外周側全周を覆う円筒カバー部が設けられているため、フィンガーグリップを握った医療従事者の指が当該円筒カバー部に添えられることで、薬液投与時の容器兼用注射器の取扱い性を向上させることができる。
【００１１】
また、本発明に係る容器兼用注射器において、前記縮径部は、前記セーフティーデバイスに対して着脱可能とされていることが好ましい。
これにより、既存のセーフティーデバイスに対しても縮径部を設けることができる。
【発明の効果】
【００１２】
本発明の容器兼用注射器によれば、セーフティーデバイスの先端に縮径部が設けられており、さらに、セーフティーデバイスの後端外周側の全周を覆う円筒カバー部が設けられているため、薬液投与後の安全性をより向上させることができるとともに、薬液を投与し易くすることが可能となる。
【図面の簡単な説明】
【００１３】
【図１】実施形態に係る容器兼用注射器の一部を断面とした側面図であって、薬液を投与する際の状態を示す図である。
【図２】実施形態に係る容器兼用注射器の一部を断面とした側面図であって、薬液の投与終了時にセーフティーデバイスを前進させた状態を示す図である。
【発明を実施するための形態】
【００１４】
以下、本発明に係る容器兼用注射器１の実施形態について、図面を参照して詳細に説明する。
容器兼用注射器１は、注射器本体１０と、セーフティーデバイス２０と、該セーフティーデバイス２０を注射針１３から外れた後退位置に係脱可能に係止する保持手段３０と、セーフティーデバイス２０を後退位置から前進位置に向かって付勢するコイルスプリング（付勢手段）２５とを備えている。また、本実施形態における容器兼用注射器１は、保持手段３０によるセーフティーデバイス２０の係止状態を解除する係止解除手段２６と、保持手段３０によるセーフティーデバイス２０の係止状態をロックするロック手段２７とをさらに備えている。
【００１５】
注射器本体１０は、例えばガラスや合成樹脂等の透明部材からなり、軸線に沿って伸びる円筒形状をなす外筒１１と、該外筒１１の前端側に取り付けられ、先端に注射針１３が装着されたハブルアーロック（筒先）１２と、外筒１１の後端側に取り付けられたフィンガーグリップ１４と、プランジャーロッド１８とから構成されている。
【００１６】
フィンガーグリップ１４は、円筒形状をなして外筒１１の後端側外周に嵌着される嵌着部（図示省略）と、該嵌着部の後端部から径方向外側に向かって張り出すフランジ部１５とを備えている。このフィンガーブリップには、その外周面に径方向外側に突出する凸部１６が周方向に１８０°間隔をあけて設けられている。また、嵌着部の外周面には、該外周面が前方側から後方側に向かうに従って一段拡径するようにして前方側を向く第一バネ当接段部（図示省略）が形成されている。
【００１７】
さらに、本実施形態においては、嵌着部の外周側に該嵌着部から径方向に所定間隔をあけて円筒カバー部１７が設けられている。この円筒カバー部１７は、軸線を中心とした筒状をなしており、フランジ部１５の前方側を向く面からさらに前方側に向かって延出している。
【００１８】
プランジャーロッド１８は、フィンガーグリップ１４に形成された軸線Ｏを中心とした貫通孔（図示省略）介して、外筒１１内に挿入されている。このプランジャーロッド１８の先端は、外筒１１内に嵌入されたストッパー（図示省略）に固定されている。
【００１９】
このような部材から構成される注射器本体１０の外周に、セーフティーデバイス２０が装着される。このセーフティーデバイス２０は、例えばポリプロピレン等の透明で適度な可撓性を有する材質によって強度が維持できる範囲で薄く成形され、軸線を中心とした略円筒形状をなしている。
【００２０】
このセーフティーデバイス２０の後端側における内周面は他の前端側よりも一段拡径されており、この拡径により形成された後方側を向く段部がコイルスプリング２５の先端が当接する第二バネ当接段部２１とされている。
また、本実施形態においては、セーフティーデバイス２０の前端には、軸線を中心として内周面及び外周面が一段縮径する縮径部２２が設けられている。即ち、縮径部２２は、セーフティーデバイス２０と外周面及び内周面が同径かつ連続して延びる円筒状をなす基端部２２ａと、この基端部２２ａから一段縮径した円筒状をなす先端部２２ｂとから構成されている。
この縮径部２２はセーフティーデバイス２０に対して一体に設けられていてもよいし、取り外し可能に設けられていてもよい。本実施形態においては、縮径部２２の後端に設けられた爪がセーフティーデバイス２０の先端に設けられた爪と係合することによって該縮径部２２がセーフティーデバイス２０に対して一体に固定されている。
【００２１】
そして、セーフティーデバイス２０の後端には、後方に向かって軸線に平行に矩形板状に延出する係合板２３が、互いに平行に対向するようにして周方向に１８０°間隔を空けて一対形成されている。この係合板２３は、径方向に沿って弾性変形可能とされており、その厚み方向（径方向）に貫通して形成された円形の孔部を備えている。この係合板２３の孔部は上記フィンガーグリップ１４の凸部１６とそれぞれ係合可能とされており、これら係合板２３と凸部１６とによって本実施形態の保持手段３０が構成されている。
【００２２】
なお、係合板２３と凸部１６とが係合している際には、セーフティーデバイス２０は後退位置にあり、その際セーフティーデバイス２０の後端側はフィンガーグリップ１４における嵌着部と円筒カバー部１７との間の空間に収納されている。
【００２３】
コイルスプリング２５は、その後端をフィンガーグリップ１４における第一バネ当接段部に当接させるとともに、前端をセーフティーデバイス２０における第二バネ当接段部２１に当接させて圧縮状態で収納されている。
【００２４】
係止解除手段２６は、フィンガーグリップ１４の後端面に設けられており、当該フィンガーグリップ１４の後端面に沿って径方向にスライド移動させることによって保持手段３０の係合を解除することができるようになっている。即ち、係止解除手段２６は、径方向にスライド移動する際に係合板２３に当接して、該係合板２３を径方向外側に向かって弾性変形させることで、係合板２３と凸部１６との係合を解除することができるように構成されている。
【００２５】
ロック手段２７は、係止解除手段２６による保持手段３０の係合の解除を阻止するための機構であって、フィンガーグリップ１４の後端面に回動可能に設けられている。即ち、このロック手段２７は、図１に示すようにロック位置にある際には、係合板２３と凸部１６とに係合方向外側から当接することでこれら係合板２３と凸部１６との係合状態を保持するとともに、係止解除手段２６のスライド移動を阻止する。
一方、ロック手段２７がロック位置から図２に示す解除位置に回動した際には、係合板２３と凸部１６との係合状態を解除するとともに係止解除手段２６のスライド移動を許容する。
【００２６】
次に、このような構成の容器兼用注射器１の使用方法について説明する。
患者に薬液を投与する前には、ロック手段２７が保持手段３０の係合を保持するとともに係止解除手段２６のスライド移動を禁止するロック位置に位置している。これによって、セーフティーデバイス２０が不用意に前方移動してしまうことを防止している。
また、実際に患者に薬液を投与する際には、医師や看護師等の医療従事者は、フィンガーグリップ１４のフランジ部１５及び円筒カバー部１７に指を添えながら作業を行う。
【００２７】
この薬液の投与の際、セーフティーデバイス２０の先端が縮径しているため当該セーフティーデバイス２０の先端が投与の妨げになることはなく、即ち、例えば注射時にセーフティーデバイス２０の先端が患者の体に当たってしまうようなことを回避することができる。したがって、注射針１３が短い場合であっても、セーフティーデバイス２０の先端が薬液の投与の妨げになることはない。
【００２８】
さらに、円筒カバー部１７が全周にわたって延在しているため、医療従事者は当該円筒カバー部１７に指を添え易く、これによって容器兼用注射器１を強固に保持しながら薬液の投与を行うことができる。したがって、薬液の投与をより円滑に行うことができる。
【００２９】
そして、患者に対する薬液の投与が終了した後は、ロック手段２７をロック位置から解除位置に回動させ、その後、係止解除手段２６をスライド移動させる。これにより、保持手段３０における係合板２３と凸部１６との係合が解除され、セーフティーデバイス２０はコイルスプリング２５の付勢力に従って前方側へと移動する。その結果、図２に示すように、セーフティーデバイス２０が注射針１３を覆った状態となる。
【００３０】
これによって、注射後の容器兼用注射器１の注射針１３が外部に露呈することはなく、容器兼用注射器１の安全性を担保することができる。また、本実施形態においてはセーフティーデバイス２０の先端に縮径部２２が設けられているため、該セーフティーデバイス２０の先端に指が入り難くなり、誤穿刺の防止を図ることができる。
【００３１】
以上、本発明の実施の形態について詳細に説明したが、本発明の技術的思想を逸脱しない限り、これらに限定されることはなく、多少の設計変更等も可能である。
【符号の説明】
【００３２】
１    容器兼用注射器
１０  注射器本体
１１  外筒
１２  ハブルアーロック（筒先）
１３  注射針
１４  フィンガーグリップ
１５  フランジ部
１６  凸部
１７  円筒カバー部
１８  プランジャーロッド
２０  セーフティーデバイス
２１  第二バネ当接段部
２２  縮径部
２２ａ       基端部
２２ｂ       先端部
２３  係合板
２４  孔部
２５  コイルスプリング
２６  係止解除手段
２７  ロック手段
３０  保持手段
【図１】
2012152443.tif 000003
【図２】
2012152443.tif 000004